(57)【特許請求の範囲】
【請求項１】
左右の脚体の間に幕板を配置し、幕板の立壁に配線受けを取り付けるようにしたものにおいて、
前記幕板が左右の脚体の上下複数個所に設定した幕板取付部の間で付け替え可能であるとともに、この幕板の高さ方向複数個所に設定した配線受け取付部の間で前記配線受けを付け替え可能としており、
前記幕板取付部による幕板の取付高さの変更ピッチと前記配線受け取付部による配線受けの高さ方向の変更ピッチとを少なくとも同ピッチに調節可能としていることを特徴とするデスク。
【請求項２】
配線受けと幕板との間に配線ダクトが形成され、この配線ダクトの形態が、幕板に対する配線受けの取り付け高さに応じて変化するように構成されている請求項１記載のデスク。
【請求項３】
配線受けの一部が、配線方向と直交する断面をＬ型に設けられたものであり、幕板に対する配線受けの第１の取付位置で幕板と配線受けの間に上方に開口するコ字状の配線ダクトを形成し、第２の取付位置で配線受けによって上方及び後方に開放するＬ字状の配線ダクトを形成し得るようにしている請求項１又は２記載のデスク。
【請求項４】
左右の脚体の間に幕板を配置し、幕板の立壁に配線受けを取り付けるようにしたものにおいて、
前記幕板が左右の脚体の上下複数個所に設定した幕板取付部の間で付け替え可能であるとともに、この幕板の高さ方向複数個所に設定した配線受け取付部の間で前記配線受けを付け替え可能としており、
配線受けの一部が、配線方向と直交する断面をＬ型に設けられたものであり、幕板に対する配線受けの第１の取付位置で幕板と配線受けの間に上方に開口するコ字状の配線ダクトを形成し、第２の取付位置で配線受けによって上方及び後方に開放するＬ字状の配線ダクトを形成し得るようにしていることを特徴とするデスク。
【請求項５】
幕板の後面が、前後方向に沿って天板の反使用端と同じ位置もしくは当該天板の反使用端よりも後方位置に配置されている請求項３又は４記載のデスク。
【請求項６】
天板幅方向の異なる位置において、複数の配線受けをそれぞれ幕板に対して高さ方向に独立に付け替え可能としている請求項１〜５の何れかに記載のデスク。
【請求項７】
前記複数の配線受け取付部のうち少なくとも一部の配線受け取付部間のピッチが、配線受けを上下に重なる位置に同時に取り付け可能な高さ寸法以上に設定されている請求項１〜６の何れかに記載のデスク。
【発明の詳細な説明】
【技術分野】
【０００１】
本発明は、オフィス等において好適に利用されるデスクに関するものである。
【背景技術】
【０００２】
オフィス等に配置するデスクとして、天板下の配線空間に配線受けを取り付ける機能を備えたものは、従来より種々に考えられている。このうち、デスクの利用状況に応じて配線の引き回しの態様を変更できるようにしたものとして、例えば特許文献１に示すものが知られている。
【０００３】
このものは、幕板を、天板との間に隙間が生じる下方位置と、天板との間の隙間を閉塞する上方位置とに付け替え可能とし、幕板を下方位置に取り付けた際には幕板に配線受けを支持させ、幕板を上方位置に取り付けた際にはデスク本体の脚間に架設した支持フレームに配線受けを支持させることで、対面使用時におけるデスク間の配線の渡り状態と、単独使用時における見栄えの確保とを実現できるようにしている。
【先行技術文献】
【特許文献】
【０００４】
【特許文献１】特許第４４０９２５４号公報
【発明の概要】
【発明が解決しようとする課題】
【０００５】
しかしながら、このような構造であると、幕板の上下動に伴って配線受けの高さが変化する。このため、配線受けが必要以上に天板に近づいたり、逆に遠ざかったりして、不便や不都合が生じる場合がある。同文献のものは、幕板を下方位置に取り付けた状態で、配線受けを、幕板が上方位置にあるときと同様にデスク本体の支持フレームに取り付けることも可能であるが、このようにすると引き込んだ配線よりも高い位置に配線受けが位置することになって、意味をなさなくなる。
【０００６】
つまり、幕板を上下させても配線受けを好ましい高さに適切に調節できる機能があれば一層望ましい。更には、幕板や配線受けの上下位置の調節に応じて配線受けの形態を変化させ得る機能を付与すれば、目的・用途に応じたより一層使い勝手の良いものになると考えられる。
【０００７】
本発明は、このような新たな機能を備えたデスクを提供することを目的としている。
【課題を解決するための手段】
【０００８】
本発明は、かかる目的を達成するために、次のような手段を講じたものである。
【０００９】
すなわち、第１の発明のデスクは、左右の脚体の間に幕板を配置し、幕板の立壁に配線受けを取り付けるようにしたものにおいて、前記幕板が左右の脚体の上下複数個所に設定した幕板取付部の間で付け替え可能であるとともに、この幕板の高さ方向複数個所に設定した配線受け取付部の間で前記配線受けを付け替え可能としており、前記幕板取付部による幕板の取付高さの変更ピッチと前記配線受け取付部による配線受けの高さ方向の変更ピッチとを少なくとも同ピッチに調節可能としていることを特徴とする。
【００１０】
すなわち、配線受けからデスク後方に配線を引き出す必要がある場合や無い場合があり、それに伴って幕板の高さ位置を調節したり、配線受けの高さは幕板の取付高さに影響を受けずに適切に調整したい場合もある。このような場合に、上記のように構成すれば、幕板の適切な高さ位置と配線受けの適切な高さ位置とを好適に両立させることができる。さらには、幕板取付部による幕板の取付高さの変更ピッチと配線受け取付部による配線受けの高さ方向の変更ピッチとを少なくとも同ピッチに調節可能としていることから、天板から配線を落とし込む場合等に天板と配線受けとの距離を適切に保つこともできる。
【００１１】
目的・用途に応じて適切な配線類の収納形態を実現するためには、配線受けと幕板との間に配線ダクトが形成され、この配線ダクトの形態が、幕板に対する配線受けの取り付け高さに応じて変化するように構成されていることが好ましい。
【００１２】
目的・用途に応じて配線ダクトの具体的な形態を選択可能とするためには、配線受けの一部が、配線方向と直交する断面をＬ型に設けられたものであり、幕板に対する配線受けの第１の取付位置で幕板と配線受けの間に上方に開口するコ字状の配線ダクトを形成し、第２の取付位置で配線受けによって上方及び後方に開放するＬ字状の配線ダクトを形成し得るようにしていることが望ましい。
【００１３】
また、第２の発明のデスクは、左右の脚体の間に幕板を配置し、幕板の立壁に配線受けを取り付けるようにしたものにおいて、前記幕板が左右の脚体の上下複数個所に設定した幕板取付部の間で付け替え可能であるとともに、この幕板の高さ方向複数個所に設定した配線受け取付部の間で前記配線受けを付け替え可能としており、配線受けの一部が、配線方向と直交する断面をＬ型に設けられたものであり、幕板に対する配線受けの第１の取付位置で幕板と配線受けの間に上方に開口するコ字状の配線ダクトを形成し、第２の取付位置で配線受けによって上方及び後方に開放するＬ字状の配線ダクトを形成し得るようにしていることを特徴とする。
すなわち、配線受けからデスク後方に配線を引き出す必要がある場合や無い場合があり、それに伴って幕板の高さ位置を調節したり、配線受けの高さは幕板の取付高さに影響を受けずに適切に調整したい場合もある。このような場合に、上記のように構成すれば、幕板の適切な高さ位置と配線受けの適切な高さ位置とを好適に両立させることができる。さらには、配線受けの一部が、配線方向と直交する断面をＬ型に設けられたものであり、幕板に対する配線受けの第１の取付位置で幕板と配線受けの間に上方に開口するコ字状の配線ダクトを形成し、第２の取付位置で配線受けによって上方及び後方に開放するＬ字状の配線ダクトを形成し得るようにしていることから、目的・用途に応じて配線ダクトの具体的な形態を選択可能となっている。
【００１４】
この場合、２台のデスクを背合わせに配置したときに更に異なる形態の配線ダクトに展開できるようにするためには、幕板の後面が、前後方向に沿って天板の反使用端と同じ位置もしくは当該天板の反使用端よりも後方位置に配置されていることが好都合である。
【００１５】
配線受けの好ましい高さが天板幅方向で異なる場合には、天板幅方向の異なる位置において、複数の配線受けをそれぞれ幕板に対して高さ方向に独立に付け替え可能としていることが望ましい。
【００１６】
天板幅方向に沿って上下に配線を分別する必要がある場合等には、前記複数の配線受け取付部のうち少なくとも一部の配線受け取付部間のピッチが、配線受けを上下に重なる位置に同時に取り付け可能な高さ寸法以上に設定されていることが好ましい。
【発明の効果】
【００１７】
本発明は、以上説明した構成であるから、幕板を上下させても配線受けを好ましい高さに適切に調節することができ、更には、幕板に対する配線受けの上下方向の取付位置に応じて、或いは幕板の取付との兼ね合いに応じて、配線受けの形態を変化させることも容易となる、使い勝手に優れたデスクを提供することが可能となる。
【図面の簡単な説明】
【００１８】
【図１】本発明の一実施形態に係るデスクの後部上方斜視図。
【図２】同デスクを配線空間を露出させた状態で示す図１に対応した後部上方斜視図。
【図３】同デスクを構成する幕板の斜視図。
【図４】図２におけるＩＶ−ＩＶ線断面図。
【図５】同デスクで用いる配線受けの後部上方斜視図。
【図６】図５におけるＶＩ−ＶＩ線断面図。
【図７】同配線受けの前部下方斜視図。
【図８】同デスクにおいて形成される配線ダクトの形態を示す部分断面図。
【図９】同デスクにおいて配線受けの取付状態を示す一部省略した後部上方斜視図。
【図１０】同デスクを背合わせに突き合わせた際に形成される配線ダクトの形態を示す部分断面図。
【発明を実施するための形態】
【００１９】
以下、本発明の一実施形態を、図面を参照して説明する。
【００２０】
この実施形態のデスクは、図１及び図２に示すように幕板１が上下位置に付け替え可能なものであって、左右の脚体２、２の上端部間に天板３を架設し、左右の脚体２、２の間を当該幕板１で連結することによってデスク本体Ｄを構成して、天板３の反使用端３ａと幕板１との間に配線空間Ｓを形成するようにしたものである。そして、前記配線空間Ｓ内に所定の配線方向である天板幅方向（図２における矢印Ｘ方向）に沿って配線を導く配線受け４を必要な箇所に配置し、配線空間Ｓの上方を配線カバー５によって閉止し得るようにしている。
【００２１】
具体的に説明すると、脚体２は、中空体状をなす脚側板２１の下端部と上端部からそれぞれベース２２とステー２３を前方に向けて延出させたもので、脚側板２１の対向面には幕板上取付部２４と幕板下取付部２５が設けてある。この実施形態の幕板上取付部２４および幕板下取付部２５は、図９にも示すように、それぞれ脚側板２１の内面に開口する上下複数の幕板取付部２４ａ、２４ｂ（２５ａ、２５ｂ）から構成されている。幕板取付部２４ａ、２５ａが対をなして幕板１を上方位置に取り付け、幕板取付部２４ｂ、２５ｂが対をなして幕板１を下方位置に取り付ける。
【００２２】
幕板１は、図１〜図３に示すように、板金素材を塑性変形加工することによって、立壁１０の上縁、下縁および左右の側縁にそれぞれ折り曲げ補強部１１、１２、１３、１３を形成したもので、左右の幅寸法ｄは図１に示す左右の脚側板２１、２１の内面間の距離Ｌに対応しており、図３に示す幕板１の左右の側縁に近い部位には、前記幕板取付部２４ａ、２４ｂ（２５ａ、２５ｂ）と対になって幕板１を取り付けるための上取付窓１４および下取付窓１５が開口している。そして、幕板１を図１に示す上方位置または図２に示す下方位置の何れかに配置し、これに伴い幕板１の上取付窓１４が脚側板２１の幕板上取付部２４ａ、２４ｂの何れかに対応する部位に位置づけられ、幕板１の下取付窓１５が脚側板２１の幕板下取付部２５ａ、２５ｂの何れかに対応する部位に位置づけられた状態で、上取付具１６を用いて上取付窓１４と幕板上取付部２４ａ（２４ｂ）の間を連結し、下取付具１７を用いて下取付窓１５と幕板下取付部２５ａ（２５ｂ）の間を連結することによって、幕板１を上方位置または下方位置に付け替え可能としている。図示例では、脚側板２１の内面に幕板取付部２４ａ、２４ｂ、２５ａ、２５ｂとして矩形状の取付孔を開口させ、幕板１の左右の側縁に設けた折曲げ補強部１３のうち脚側板２１の内面に重合する位置に矩形状の上取付窓１４および下取付窓１５を開口させて、取付具１６、１７に、取付窓１４、１５と取付孔２４ａ（２４ｂ）、２５ａ（２５ｂ）とが重合した状態でこれらに弾性的に嵌め込まれる樹脂ファスナを採用したものを例示しているが、勿論これ以外にも、例えば幕板１の下折曲げ補強部１２に下取付窓を開口させ、この下取付窓と幕板下取付部２５ａ、２５ｂとの間をバックル式の取付具によって連結するなど、連結構造には種々のものを採用することができる。取付部や取付窓の形状も矩形に限らない。
【００２３】
一方、デスク本体Ｄを構成する幕板１の内面には、図３に示すように所定の配線方向である天板幅方向（Ｘ方向）に沿って上下方向に異なる位置に配線受け取付部６Ａ、６Ｂを延在させ、これらの配線受け取付部６、７に、図９に示す配線受け４を着脱可能に取り付け得るようにしている。
【００２４】
配線受け取付部６Ａは、図３及び図４に示すように、上折曲げ補強部１１を利用して構成されているもので、立壁１０から前方に延びる水平片６１と、その水平片６１の先端より連続する垂下片６２と、その垂下片６２の下端から立壁１０に向かう方向に延びる底片６３と、その底片６３の先端から立ち上がる起立片６４とからなり、垂下片６２と底片６３と起立片６４とによって下向き突条６ｍを形成し、立壁１０と水平片６１と起立片６４との間に下向き溝６ｎを形成している。また、配線受け取付部６Ｂは、立壁１０に取り付けた補強部材６ｘを利用して構成されているもので、前記配線受け取付部６Ａと同様に水平片６１、垂下片６２、底片６３および起立片６４を有し、下向き突条６ｍ、下向き溝６ｎを形成している。この補強部材６ｘの場合、水平片６１の基端から上方に向けて取付片６５が延びており、この取付片６５が幕板１の立壁１０に溶接等により取り付けられている。起立片６４は垂下片６２よりも上下寸法が短く、起立片６４と水平片６１の間には図４に示すように所定の隙間δが開口している。
【００２５】
一方、配線受け４は、図５及び図６に示すように樹脂一体成型されたもので、取付状態で水平に配置される配線支持面４１と、この配線支持面４１の先端から部分的に高さを異ならせて起立する起立片４２とをＬ型に連設するとともに、この配線支持面６１の基端側に、垂下片４３ａ、底片４３ｂ及び起立片４３ｃから構成されて配線方向（Ｘ方向）に沿って連続する溝状の形態をなす上向き凹状嵌合部４ｍと、この上向き凹状嵌合部４ｍから更に基端側に隣接する位置において前記起立片４３ｃ、頂片４３ｄ、垂下片４３ｅから構成されて配線方向（Ｘ方向）に沿って連続する突条の形態をなす上向き凸状嵌合部４ｎとを一体に設けている。そして、この配線受け４を上下何れかの配線受け取付部６Ａ、６Ｂに対して配線方向と直交する方向、すなわちこの実施形態では図６に矢印で示すように下から上に向かって移動させることによって、前記配線受け４の上向き凸状嵌合部４ｎを前記配線受け取付部６Ａ、６Ｂの下向き溝６ｎに嵌め合わせ、前記配線受け４の上向き凹状嵌合部４ｍを前記配線受け取付部６Ａ、６Ｂの下向き突条６ｍに嵌め合わせ得るようにしている。
【００２６】
この際、上向き凸状嵌合部４ｎと上向き凹状嵌合部４ｍとの境界に位置する起立片４３ｃから上向き凸状嵌合部４ｎの頂片４３ｄに亘る領域の一部に図５〜図７に示すように一対の縦スリット４４、４４を設けて、スリット４４、４４間に位置する起立片４３ｃを厚み方向（前後方向）に変位可能な可動片４５とし、かつこの可動片４５の基端部を樹脂ヒンジ４５ａとして、この樹脂ヒンジ４５ａの変形とともに可動片４５を図４に想像線で示すように厚み方向に回動するようにして弾性変形可能としており、更にこの可動片４５を下方に延出させて本発明の解除レバー４６を構成している。底片４３ｂには解除レバー４６との干渉を避ける逃げ４３ｂ１が設けてある。このような解除レバー４６は、図５に示すように配線受け４の左右２箇所に設けられている。また、前記スリット４４、４４間に位置する可動片４５のうち上向き凹状嵌合部４ｍに臨む面には、図５〜図７に示すように凹状嵌合部４ｍの中央に向かって突出する山形の爪４ｘが設けてあり、嵌合動作の始めにこの爪４ｘが配線受け取付部６Ａ、６Ｂの起立片６４と干渉して図４に想像線で示すように可動片４５が一時的に垂下片４３ｅ側に押し込まれる方向に弾性変形し、所定の嵌合位置で可動片４５が復元した際に図６に想像線で示すように配線受け取付部６Ａ、６Ｂの起立片６４と水平片６１との隙間δに爪４ｘが入り込んで、起立片６４の上端に設定した係止部６ｘに係合し、そのとき樹脂ヒンジ４５ａに残った弾性反発力が押付力となって嵌合部４ｍ、４ｎを配線受け取付部６Ａ、６Ｂの突条６ｍや下向き溝６ｎの内面に押し付けた状態で嵌り合うようになっている。この爪４ｘは、解除レバー４６を再び図４に想像線で示すように垂下片４３ｅ側に倒すことによって前記隙間δから退避させ、係止部６ｘとの係合を解除することができる。この配線受け４の図６に想像線で示す嵌合位置で上載荷重や外力によって下方への力が作用すると、爪４ｘを介して可動片４５が解除レバー４６とともに解除方向と逆方向、すなわち係止部６ｘとの係合がより深くなる方向に押し付けられる作用を営み、いわゆる奥ヒンジを構成している。配線受け４には、図４、図５及び図７に示すように、前記嵌合部４ｍ、４ｎを下支えし且つ当該配線受け部４が配線受け取付部６Ａ、６Ｂに嵌合した状態で一部を幕板１の立壁１０に当接させる位置に三角形状のリブ４０が設けてある。
【００２７】
すなわち、このデスクは、図１および図２に示したように幕板１が左右の脚体２、２の上下複数個所に設定した幕板取付部（２４ａ、２５ａ）と（２４ｂ、２５ｂ）との間で付け替え可能であるとともに、図３および図４に示すようにこの幕板１の高さ方向複数個所に設定した配線受け取付部６Ａ、６Ｂの間で前記配線受け４を付け替え可能なものであり、その付け替えは天板幅方向（Ｘ方向）の異なる位置において各々の配線受け４、４、…ごとに独立して行うことが可能とされている。その際、幕板取付部２４ａ、２４ｂ間のピッチＰ１（２５ａ、２５ｂ間のピッチＰ１）と前記配線受け取付部６Ａ、６Ｂ間のピッチＰ２とは同一ピッチに設定してあり、その配線受け取付部６Ａ、６Ｂ間のピッチＰ２は、天板幅方向（Ｘ方向）の同じ位置若しくは重複する位置において図４に示すように上下に配線受け４、４を重ねて配置できるように、干渉部位である配線受け４の起立片４２の高さ寸法ｈ以上となるように設定されている。
【００２８】
この実施形態の場合、幕板１に対する配線受け４の第１の取付位置（図８（ｂ））では、配線受け４の起立片４２の上端４２ａと幕板１の上縁１１とが略同じ高さとなる位置に設定され、第２の取付位置（図８（ａ））では、配線支持面４１と幕板１の上縁１１とが略同じ高さとなる位置に設定されている。
【００２９】
さらに、この配線受け４は、図９に示すように天板３の配線方向寸法Ｗの１／２よりも小さい長さ寸法のもの（更に言えば、天板３の配線方向寸法Ｗの１／４よりも小さい長さ寸法のもの）であり、配線受け４を配線方向（Ｘ方向）に沿って同図に示すように複数配列した状態で配線受け取付部６Ａ、６Ｂに取り付けることができるのは勿論のこと、同図右側に示すように配線受け４，４同士を、側端部４１ｍ、４１ｎ同士が突き当たった状態で連続する拡張状態をもとり得るようにしている。そのために、図５〜図７、図９に示すように、配線受け４の両側端部４１ｍ、４１ｎから配線支持面４１に対して段落ちした突片４０ｍ、４０ｎを配線方向外側に向けて延出させて設けている。左右の突片４０ｍ、４０ｎは、配線方向と交差する方向である前後方向（図５における矢印Ｙ方向）に位置をずらしてあり、図９に示すように配線受け４、４同士を隣接させることによって一対の配線受け４の隣接する側端部４１ｍ（４１ｎ）からそれぞれ相手方の配線受け４に向かって突片４０ｍ（４０ｎ）が延出し、これが対応する配線受け４の側端部４１ｎ（４１ｍ）近傍の下面に潜り込んで厚み方向に重合するようにしている。
【００３０】
なお、図１及び図２に基づいて前述したように、上記配線空間Ｓの上方は配線カバー５によって閉止されるようにしている。そのために、左右の脚体２、２の後端部は天板３の反使用端３ａよりも若干後方に延出した状態にあるように構成されていて、この位置に図９に示すようにカバー取付部７ａ、７ａを設け、天板幅方向（Ｘ方向）の中央部にもカバー取付部７ｂを設けて、隣接するカバー取付部７ａ、７ｂの対向面に軸受け部７０を構成し、この軸受け部７０に図１に示す配線カバー５を着脱可能かつ回動動作によって配線空間Ｓを上方に向かって開閉可能な状態で支持させるようにしている。また、図４及び図８等に示すように、幕板１の後面は、前後方向に沿って天板３の反使用端３ａよりも後方位置に配置される。
【００３１】
次に、この実施形態における配線受けの利用の形態について説明する。
【００３２】
この配線受け４は、図６等に基づいて前述したように、下から上に向かって配線方向（Ｘ方向）と直交する方向から配線受け取付部６Ａ、６Ｂに近づけた際に、一時的に可動片４５が弾性変形した後に復元して爪４ｘが配線受け取付部６Ａ、６Ｂの係止部６ｘに係止されて、嵌合部４ｍ、４ｎが配線受け取付部６Ａ、６Ｂの下向き突条６ｍおよび下向き溝６ｎに嵌り合う。この状態では、当該嵌合部４ｍ、４ｎを配線受け取付部６Ａ、６Ｂの下向き突条６ｍおよび下向き溝６ｎから引き抜く方向の力が作用した際に配線受け取付部６Ａ、６Ｂにより強く当接する爪４ｘを可動片４５に設けているため、上載荷重その他の外力が下向きに作用しても配線受け４が外れることはない。一方、解除レバー４６を操作して押付力を解除し、配線受け４を図６の矢印と逆方向に移動させると、前記嵌め合いが解除されて、配線受け４を配線受け取付部６Ａ、６Ｂから離脱させることができる。さらに、解除レバー４６で押付力を緩めた図４に想像線で示す状態にあっても、配線受け４の嵌合部４ｍ、４ｎと配線受け取付部６Ａ、６Ｂの下向き突条６ｍおよび下向き溝６ｎとの嵌合状態は維持されるため、配線方向（Ｘ方向）に沿って図９に矢印Ｔで示すように配線受け４をスライドさせる操作を行うことができる。
【００３３】
一方、配線ダクトの形態としては、幕板１に対する配線受け４の第１の取付位置（図８（ｂ））で幕板１と配線受け４の間に上方に開口するコ字状の配線ダクトＳ１を形成し、第２の取付位置（図８（ａ））で配線受け４によって上方及び後方に開放されたＬ字状の配線ダクトＳ２を形成することができる。したがって、これらの配線ダクトＳ１、Ｓ２に天板幅方向（Ｘ方向）に沿って配線を引き回し、必要な箇所で配線受け４の起立片４２に配線を巻き付け、さらに必要な箇所から天板３上に配線を立ち上げ、或いは床に向かって配線を落とし込み、更には図８（ａ）の場合には配線カバー５を閉止した状態でも後方に向かって配線を引き出すことができる。
【００３４】
さらに、このような構造を利用すれば、２台のデスクを背合わせに配置したときに、幕板１に対する配線受け４の第１の取付位置で図１０（ｂ）に示すように一対の天板３、３間に幕板１を中間仕切りとして上方に開口するＥ字形状の配線ダクトＳ３が形成されて、各々のデスクで配線ダクトＳ３を使い分けたり、電力線と通信線とを使い分けたりする態様が可能になり、また、幕板１に対する配線受け４の第２の取付位置で図１０（ａ）に示すように一対の天板３、３間に上方に開口するコ字形状の大型配線ダクトＳ４が形成されて、対面配置されたデスク間での縦配線や共用配線の収納が容易になるほか、定電圧電源等の比較的大きな給電機器やハブ、ルータ等の比較的大きな通信機器も収容することが可能になる。
【００３５】
以上のように、本実施形態のデスクは、左右の脚体２、２間に幕板１を配置し、幕板１の立壁１０に配線受け４を取り付けるようにしたものであり、前記幕板１が左右の脚体２、２の上下複数個所に設定した幕板取付部２４ａ、２５ａ（２４ｂ、２５ｂ）の間で付け替え可能であるとともに、この幕板１の高さ方向複数個所に設定した配線受け取付部６Ａ、６Ｂの間で前記配線受け４を付け替え可能としたものである。
【００３６】
このようにすると、配線受け４からデスク後方に配線を引き出す形態と引き出さない形態、その他の必要な形態に応じて幕板１の高さを変更することができ、それに伴って配線受け４の高さ位置を調節することができる。したがって、幕板１の適切な高さ位置と配線受け４の適切な高さ位置とを好適に両立させることが可能となる。
【００３７】
また、配線受け４と幕板１との間において、幕板１に対する配線受け４の取り付け高さに応じて異なる配線ダクトＳ１、Ｓ２が形成されるようにしているので、目的・用途に応じた適切な配線ダクトを選択して構成することが可能となる。
【００３８】
さらに、天板幅方向（Ｘ方向）の異なる位置において、複数の配線受け４、４、…をそれぞれ幕板１に対して高さ方向に独立に付け替え可能としているので、配線受け４の好ましい高さ位置を天板幅方向の各位置で個別に追求することもできて便利である。
【００３９】
特に、幕板取付部２４ａ、２５ａ（２４ｂ、２５ｂ）による幕板１の取付高さの変更ピッチＰ１と配線受け取付部６Ａ、６Ｂによる配線受け４の高さ方向の変更ピッチとＰ２とを同ピッチにしているので、図１０に示すように幕板１の取付高さを変えても、配線受け４の高さを一定に保つことができる。このため、天板３から配線を落とし込む場合等に、天板３と配線受け４との距離を適切に保つ上で有用なものとなる。
【００４０】
また、配線受け取付部６Ａ、６Ｂ間のピッチＰ２が、配線受け４、４を上下に重なる位置に同時に取り付けるために必要な高さ寸法ｈ以上に設定されているので、天板幅方向（Ｘ方向）に沿って上下に配線を分別するなどの形態も容易に利用することが可能となる。
【００４１】
そして、配線受け４の一部が、配線方向（Ｘ方向）と直交する断面をＬ型に設けられていて、幕板１に対する配線受け４の第１の取付位置で幕板１と配線受け４の間に上方に開口するコ字状の配線ダクトＳ１を形成し、第２の取付位置で配線受けによって上方及び後方に開放するＬ字状の配線ダクトＳ２を形成し得るようにしているので、幕板１に対する配線受け４の２位置間での付け替えだけで、配線ダクトの具体的な形態を簡単に選択することができるようになる。
【００４２】
特に、幕板１の後面が、前後方向に沿って天板３の反使用端３ａよりも後方位置に配置されているので、２台のデスクを背合わせに配置したときに、配線受け４の第１の取付位置で上方に開口するＥ字形状の配線ダクトＳ３が形成され、第２の取付位置で上方に開口するコ字形状の大型配線ダクトＳ４が形成できることになり、対面配置した際の配線引き回しの便もダクト構造の選択を通じてより一層有効に向上させることが可能となる。
【００４３】
なお、各部の具体的な構成は、上述した実施形態のみに限定されるものではない。
【００４４】
例えば、幕板や配線受けの付け替えは上下方向の３箇所以上とすることができ、また、配線受けの変更ピッチと幕板の変更ピッチとは、一方が他方の整数倍の値となるようにしても構わない。
【００４５】
その他の構成も、本発明の趣旨を逸脱しない範囲で種々変形が可能である。
【符号の説明】
【００４６】
１…幕板
２…脚体
３…天板
３ａ…反使用端
４…配線受け
６Ａ、６Ｂ…配線受け取付部
１０…立壁
２４、２４ａ、２４ｂ、２５、２５ａ、２５ｂ…幕板取付部
Ｓ１…コ字状の配線ダクト
Ｓ２…Ｌ字状の配線ダクト
Ｓ３…Ｅ字形状の配線ダクト
Ｓ４…コ字形状の配線ダクト
Ｐ１…幕板の取付高さの変更ピッチ
Ｐ２…配線受けの高さ方向の変更ピッチ
Ｘ…天板幅方向（配線方向）
【図１】
0005849199.tif 000002
【図２】
0005849199.tif 000003
【図３】
0005849199.tif 000004
【図４】
0005849199.tif 000005
【図５】
0005849199.tif 000006
【図６】
0005849199.tif 000007
【図７】
0005849199.tif 000008
【図８】
0005849199.tif 000009
【図９】
0005849199.tif 000010
【図１０】
0005849199.tif 000011